(57)【要約】【課題】  本発明は、給湯機の搬入や設置を行う際の制約を緩和することができる給湯機を提供することを目的とする。【解決手段】  本発明は、給湯に用いられる高温液体を貯留するタンクと、該タンクを内部に収容する給湯機本体と、一端側が前記給湯機本体に固定され、他端側が設置面に固定される本体支持脚とを備え、前記本体支持脚は、両端間方向に分割可能に構成されることを特徴とする。また、前記本体支持脚は、前記給湯機本体に固定される一端側部材と、前記設置面に固定される他端側部材と、前記一端側部材と他端側部材との間に配置される中間部材とを備え、前記中間部材の前記両端間方向の高さを変更することにより、前記給湯機本体が配置される鉛直方向の高さ位置を変更可能に構成されることが好ましい。【選択図】図２
2014190589.tif 000002
【特許請求の範囲】
【請求項１】
給湯に用いられる高温液体を貯留するタンクと、該タンクを内部に収容する給湯機本体と、一端側が前記給湯機本体に固定され、他端側が設置面に固定される本体支持脚とを備え、
前記本体支持脚は、両端間方向に分割可能に構成されることを特徴とする給湯機。
【請求項２】
前記本体支持脚は、前記給湯機本体に固定される一端側部材と、前記設置面に固定される他端側部材と、前記一端側部材と他端側部材との間に配置される中間部材とを備え、
前記中間部材の前記両端間方向の高さを変更することにより、前記給湯機本体が配置される鉛直方向の高さ位置を変更可能に構成されることを特徴とする請求項１に記載の給湯機。
【請求項３】
前記中間部材は、前記両端間方向の高さが異なる複数の中間部材の中から選択されることを特徴とする請求項２に記載の給湯機。
【請求項４】
前記一端側部材は、前記給湯機本体が載置される本体載置部と、該本体載置部に接続される一端側柱状部とを備え、
前記他端側部材は、前記設置面に固定される設置面固定部と、該設置面固定部に接続される他端側柱状部とを備えることを特徴とする請求項２又は３に記載の給湯機。
【発明の詳細な説明】
【技術分野】
【０００１】
本発明は、給湯機に関するものであり、より詳しくは、給湯に用いられる高温液体を貯留するタンクを備える給湯機に関するものである。
【背景技術】
【０００２】
従来、給湯に用いられる高温液体を貯留するタンクと、該タンクを内部に収容する給湯機本体と、一端側が給湯機本体に固定され、他端側が設置面に固定される本体支持脚とを備えた給湯機が知られている（例えば特許文献１）。
【先行技術文献】
【特許文献】
【０００３】
【特許文献１】特許第４３７５２０３号公報
【発明の概要】
【発明が解決しようとする課題】
【０００４】
ところで、従来の給湯機は、本体支持脚が給湯機本体に固定された状態で完成されているものであり、一度組み立ててしまうとそのままの状態で搬入及び設置されるものである。しかし、実際には、設置場所や設置場所までの搬入経路に配管等の障害物が存在する場合もあり、給湯機の大きさや高さが制約となって搬入や設置がスムーズに行えないことがある。
【０００５】
そこで、本発明は、給湯機の搬入や設置を行う際の制約を緩和することができる給湯機を提供することを目的とする。
【課題を解決するための手段】
【０００６】
本発明は、給湯に用いられる高温液体を貯留するタンクと、該タンクを内部に収容する給湯機本体と、一端側が前記給湯機本体に固定され、他端側が設置面に固定される本体支持脚とを備え、前記本体支持脚は、両端間方向に分割可能に構成されることを特徴とする。
【発明の効果】
【０００７】
本発明によれば、給湯機の搬入や設置を行う際の制約を緩和することができる。
【図面の簡単な説明】
【０００８】
【図１】本発明の実施形態に係る給湯機を示す図。
【図２】本発明の実施形態に係る給湯機の通常高さの本体支持脚を示す図。
【図３】本発明の実施形態に係る給湯機の本体支持脚の一端側部材を示す図。
【図４】本発明の実施形態に係る給湯機の本体支持脚の他端側部材を示す図。
【図５】本発明の実施形態に係る給湯機の本体支持脚の通常の大きさの中間部材を示す図。
【図６】本発明の実施形態に係る給湯機の高めの本体支持脚を示す図。
【図７】本発明の実施形態に係る給湯機の本体支持脚の大きめの中間部材を示す図。
【図８】本発明の実施形態に係る給湯機の低めの本体支持脚を示す図。
【図９】本発明の実施形態に係る給湯機の本体支持脚の小さめの中間部材を示す図。
【図１０】本体支持脚を分解又は再組立する作業を示す図
【図１１】従来の給湯機の本体支持脚を示す図
【発明を実施するための形態】
【０００９】
本実施形態に係る給湯機について説明する。
【００１０】
図１は給湯機であり、給湯に用いられる高温液体を貯留するタンク１を備える。なお、タンク１に高温水が貯留されるものが一般的であるため、この種の給湯機は一般的に貯湯式給湯機と呼ばれている。また、給湯機は、タンク１を内部に収容する給湯機本体２と、一端側が給湯機本体２に固定され、他端側が設置面に固定される本体支持脚５とを備え、本体支持脚５は、両端間方向に分割可能に構成される。
【００１１】
本体支持脚５は、給湯機本体２の底部に複数個固定されており、具体的には、給湯機本体２の前方中央に１つと、後方両側に２つが固定されている。給湯機本体２は重量物であるため、本体支持脚５は強固に形成されている。
【００１２】
また、タンク１の下部には、タンク１へ給水するための給水配管Ｐ１が接続され、タンク１の上部には、高温水を外部に供給するための給湯配管Ｐ２が接続されている。さらに、タンク１の下部には、支持するタンク支持脚４が固定されている。給湯機本体２は、タンク１と、外装体６内に収納され、外装体６とタンク１との間には、断熱材７が充填されている。
【００１３】
図２に示すように、本体支持脚５は、給湯機本体２に固定される一端側部材１０と、設置面Ｇに固定される他端側部材１４と、一端側部材１０と他端側部材１４との間に配置される中間部材３０とを備え、中間部材３０の前記両端間方向の高さを変更することにより、給湯機本体２が配置される鉛直方向の高さ位置を変更可能に構成される。なお、図２では作図の関係上、本体支持脚５のみを表しているが、実際には一端側部材１０が給湯機本体２に固定された状態となっている。これは後述する図６や図８でも同様である。
【００１４】
図３は、本体支持脚５の一端側部材１０を示し、図４は、本体支持脚５の他端側部材１４を示し、図５、７、９は、本体支持脚５の高さを調整するのに用いられる中間部材３０を示す。この中間部材３０は、高さを調整するのに用いられるため、高さ調整部材と呼ぶことができる。なお、一端側部材１０と他端側部材１４と中間部材３０とは、ボルト８とナット９によって固定される。
【００１５】
図３に示す一端側部材１０は、給湯機本体が載置される本体載置部１１を有し、この本体載置部１１は給湯機本体２の底部と接する長方形状の面を有する。一端側部材１０は、本体載置部１１で給湯機本体２の荷重を受け止める。本体載置部１１には、給湯機本体とボルトで固定するための穴１１Ａが２箇所空いている。なお、本体載置部１１は、前記長方形状を有する板部材の幅方向両端部側を側面側へ９０度曲げ加工したものである。また、一端側部材１０は、本体載置部１１に接続される一端側柱状部１３を有し、一端側柱状部１３には、他端側部材１４や中間部材３０と固定される際にボルトが挿入される穴１３Ａが空けられている。具体的には、一端側柱状部１３は長方形状を有し、本体載置部１１の裏側に、溶接されている。
【００１６】
具体的には、本体支持脚５は、一端側部材１０の本体載置部１１が給湯機本体２の底部及びタンク支持脚４に対してボルトで固定されるものであり、本体支持脚５自体を取り外した場合には、給湯機本体２の底部及びタンク支持脚４とも再度連結し直す必要があるため、このように本体支持脚５自体を分解することができると作業性が向上する。
【００１７】
図４に示す他端側部材１４は、設置面Ｇに固定される設置面固定部１５を有する。設置面固定部１５は、本体支持脚５を固定べく設置面Ｇに固定されたアンカーボルトを挿通させるための切欠き１５Ａを有する。切欠き１５Ａは、本体支持脚５の後方に向かって開口しており、該切欠き１５Ａの内側にアンカーボルトを固定するための係止部１５Ｂを有している。給湯機を固定する際には、切欠き１５Ａにアンカーボルトを挿通させるとともに、係止部１５Ｂに係合する突片を備えたワッシャーを介してアンカーボルトに締め付け固定する。また、設置面固定部１５は、幅方向両側が上方へ立ち上がるように９０度曲げ加工がなされている。さらに、他端側部材１４の他端側柱状部１８には、一端側部材１０や中間部材３０と固定される際にボルトが挿入される穴１８Ａが空けられている。具体的には、他端側柱状部１８は長方形状を有し、設置面固定部１５の上面に、溶接されている。
【００１８】
次に、本体支持脚５の高さを調整するのに用いられる中間部材３０について説明する。中間部材３０は、本体支持脚５の両端間方向の高さが異なる複数のものが用意されており、これらの中間部材３０の中から選択されるものである。具体的には、図５，７，９に示す大中小の３種類の中間部材３０１、３０２、３０３が用意されている。
【００１９】
まず、図５に示す中間部材３０２についてであるが、中間部材３０２は、図３の一端側柱状部１３や、図４の他端側柱状部１８と同じ厚みを有する長方形状の部材である。そして、中間部材３０２の両端部には、厚み方向に沿って互いに異なる向きに突出する突出部３０２Ａが形成されている。このように、中間部材３０２は、上下２箇所左右非対称に突出する形状となっている。この突出部３０２Ａは、一端側柱状部１３や他端側柱状部１８の厚みと同じ寸法突出している。また、中間部材３０２には、図３の一端側部材１０や図４の他端側部材１４と固定される際にボルトが挿入される穴３０２Ｂが空いている。図２は、二番目の高さを有する通常の高さの中間部材３０２を用いた本体支持脚５である。
【００２０】
次に、図７に示す中間部材３０１についてであるが、この中間部材３０１は、本体支持脚５の高さを高くする場合に使用されるものであり、最も大きい。この中間部材３０１は、概略形状は、図５に示した中間部材３０２と共通するが、図５に示した中間部材３０２よりも前記両端間方向における突出部３０１Ａの長さ寸法が大きく形成されている。
【００２１】
次に、図９に示す中間部材３０３についてであるが、この中間部材３０３は、本体支持脚５の高さを低くする場合に使用されるものであり、最も小さい。この中間部材３０３は、図５や図７に示した中間部材３０２，３０１とは異なり、突出部を有しない。
【００２２】
現地において本体支持脚５の高さを変更を行う場合について説明する。通常は、給湯機には、図２に示すような通常高さの本体支持脚５が固定されている。本体支持脚５の高さを変更を行う場合には、まず図１０のように給湯機を倒す。なお、給湯機を倒す際には、倒す床面に毛布のような給湯機を倒しても傷つけないようなものを敷き、そして給湯機を変形させないようにゆっくりと倒す。その後に、本体支持脚５のボルト８とナット９を外し、調整したい高さに合わせて図７または図９に示す中間部材３０１，３０３、を用い、本体支持脚５の改造を行う。
【００２３】
例えば、本体支持脚５の高さを高くしたい場合は、固定しているボルト８とナット９を外し、図５の中間部材３０２を取外し、図５の中間部材３０２の代わりに図７の中間部材３０１を使用して、再度ボルト８とナット９で固定することで、図６のような本体支持脚５に変更することが可能である。これにより、図７の突出部３０１Ａの長さの分だけ本体支持脚５の高さを高くすることができる。
【００２４】
また、逆に本体支持脚５の高さを低くしたい場合は、固定しているボルト８とナット９を外し、図５の中間部材３０２を取外し、図５の中間部材３０２の代わりに図９の中間部材３０３を使用して、再度ボルト８で固定することで、図８のような本体支持脚５に変更することが可能である。これにより、図７の突出部３０１Ａが無い分だけ高さを低くすることができる。
【００２５】
以上のように、本実施形態によれば、給湯機の搬入や設置を行う際の制約を緩和して、給湯機の搬入や設置を良好に行うことができる。
【００２６】
しかも、本実施形態の給湯機は、本体支持脚の高さを変更することができる。例えば従来の給湯機では、図１１に示すように本体支持脚が分解不能に形成されており、高さを変更することができなかったため、給湯機が据え付けられる設置場所によっては、給湯機が高めになってしまったり、低めになってしまったりすることがあった。この点、本実施形態の給湯機によれば、本体支持脚５の高さを変更することができるため、様々な据付条件に対応し、給湯機を据付けることが可能となる。
【００２７】
なお、本発明に係る給湯機は、上記本実施形態に限定されるものではない。例えば、本体支持脚の固定方法は、ボルト固定以外であっても、分解固定することが可能な固定方法であれば良い。また、一端側部材の一端側柱状部や、他端側部材の他端側柱状部や、中間部材に形成された穴は、上記実施形態のように円形状の穴である必要は無く、前記両端間方向に延びる長穴であってもよい。また、本体支持脚の分割方法は上記実施形態の方法以外であってもよく、同等の分解・再組立によって、本体支持脚の高さを変更可能であれば、他の方法でもよい。
【符号の説明】
【００２８】
１…タンク、２…給湯機本体、４…タンク支持脚、５…本体支持脚、６…外装体、７…断熱材、８…ボルト、９…ナット、１０…一端側部材、１１…本体載置部、１３…一端側柱状部、１４…他端側部材、１５…設置面固定部、１８…他端側柱状部、３０、３０１、３０２、３０３…中間部材
【図１】
2014190589.tif 000003
【図２】
2014190589.tif 000004
【図３】
2014190589.tif 000005
【図４】
2014190589.tif 000006
【図５】
2014190589.tif 000007
【図６】
2014190589.tif 000008
【図７】
2014190589.tif 000009
【図８】
2014190589.tif 000010
【図９】
2014190589.tif 000011
【図１０】
2014190589.tif 000012
【図１１】
2014190589.tif 000013